Podtech/llm-jp-corpus-v4-ja_patent huggingface dataset:
(57)【要約】      （修正有）【課題】花や風景、動物、鳥、魚などの形状を模して、その形状の基部に設けた発光ダイオードと随所に設けた光ファイバーにより、数色の光が点滅し変色する装飾品を提供する。【解決手段】布やビニールを素材とした花の形状の花弁２の基部に発光ダイオード５を隠設し、更に花心（オシベやメシベ）１に光ファイバー６を縫着又は植設し、この花心１や花弁２の裏面に隠設した電源のリチウム電池３を電源として、同じく隠設した基板４の配電により発光ダイオード５が発光し、この発光ダイオードの光を受けた光ファイバー６が作用して、花の形状をした花心１や花弁２の基部が交互に又は同時に点滅する構造の、発光．点滅．変色する装飾品である。【選択図】図１
0003109324.tif 000002
【実用新案登録請求の範囲】
【請求項１】
布やビニールを素材とした花の形状の花弁２の基部に発光ダイオード５を隠設し、花心（オシベやメシベ）１に光ファイバー６を植設又は縫着し、この花心１や花弁２の裏面に隠設したリチウム電池３を電源として、同じく隠設した基板４を通じて発光ダイオード５が発光し、この発光ダイオード５の光を受けた光ファイバー６が作用して花心１や花弁２の基部が交互に又は同時に点滅する構造の、発光．点滅．変色する装飾品。
【請求項２】
風景．動物．鳥．魚等の形状を模した、請求項１の発光．点滅．変色する装飾品。
【考案の詳細な説明】
【考案の詳細な説明】
【産業上の利用分野】
【０００１】  この考案は、布やビニールを素材とし花や風景．動物．鳥．魚などの形状を模した形状の随所に光ファイバーを植設又は縫着し、これらの形状の裏面等に隠設したリチウム電池を電源として、同じく隠設した基板の配電により発光ダイオードが発光し、発光ダイオードの光を受けた光ファイバーが交互に又は同時に点滅する構造の発光．点滅．変色する装飾品に関する。
【背景技術】
【０００２】  従来より、リチウム電球や蓄光物質を用いた物や夜光蝶等の羽根から採取した発光物質を用いた繊維で縫製した装飾品や衣料があるが、それらは電源装置等が大型であったり、特に蓄光する物は短時間で退光するものであり、繊細に点滅し発光色が変色ししかも電源等が極めて軽薄な物は見当たらなかった。
【考案が解決しようとする課題】
【０００３】  本考案は、花や風景．動物．鳥．魚などの形状を模して、その形状の基部に設けた発光ダイオードと随所に設けた光ファイバーにより、数色の光が点滅し変色する装飾品を創り出すことを課題とした。
【課題を解決するための手段】
【０００４】  この手段は、布やビニールを素材とし花や風景．動物．鳥．魚などの形状を模した形状の随所に光ファイバーを植設又は縫着し、これらの形状の裏面等に隠設したリチウム電池を電源として、同じく隠設した基板を通じて発光ダイオードが発光し、この発光ダイオードの光を受けた光ファイバーが交互に又は同時に点滅する構造の発光．点滅．変色する装飾品を提供する。
【考案を実施するための最良の形態】
【０００５】  本考案のうち花の形状を模した装飾品の実施例を図面に基づき記述する。
請求項１を記述すれば、布やビニールを素材とした花の形状の花弁２の基部に発光ダイオード５を隠設し、花心（オシベやメシベ）１に光ファイバー６を植設又は縫着し、この花心１や花弁２の裏面に隠設したリチウム電池３を電源として、同じく隠設した基板４を通じて発光ダイオード５が発光して花弁２の基部を発光させ、この光を受けた光ファイバー６の先端部が花心１で発光して交互に又は同時に点滅する構造の、発光．点滅．変色する装飾品である。【０００６】  実施例では花の形状の花心１に複数本の光ファイバー６を植設し、花弁２の基部に光ファイバー６を隠設している。スイッチ７をＯＮにすると基板４が配電して発光ダイオード５が発光し、同時にこの発光を受けた光ファイバー６が作用して、花弁２の基部と花心１の先端部が点滅するものである。【０００７】  本実施例の発光ダイオード５は赤．白．青．黄の４色を用いており、花心１には黄色が、花弁２には赤．白．青の３色が点滅するよう構成されている。つまり、花心１に植設した光ファイバー６の基部の端面は黄色の発光ダイオード５の発光面に、花弁２に縫着した光ファイバー６の基部の端面は赤色．白色．青色の発光ダイオード５の発光面に近接して対面している。【０００８】  従って発光ダイオード５の赤色が点滅すれば花弁２の基部は赤色に点滅し、発光ダイオード５の青色が点滅すれば花弁２の基部は青色に、白色が点滅すれば白色に点滅するものであり、ひとつの花が多色に変化するものである。【０００９】  請求項２は、風景．動物．鳥．魚等の形状を模した請求項１の装飾品である。【００１０】  リチウム電池３と基板４及び発光ダイオード５はいずれも小型で軽量であるから花心１の基部と花弁２の基部に隠設（収納）できる。本実施例の光ファイバー６はは太さが約０．２５ミリである。
【考案の効果】
【００１１】  以上に説明したように本考案は、布やビニールを素材とし花や風景．動物．鳥．魚などの形状を模した形状の随所に光ファイバーを植設又は縫着し、これらの形状の裏面等に隠設したリチウム電池を電源として、同じく隠設した基板を通じて発光ダイオードが発光し、この発光ダイオードの光を受けた光ファイバーが交互に又は同時に点滅する構造の発光．点滅．変色する装飾品であり、本実施例の花の形状のみならず、風景．動物．鳥．魚等の形状を模したもの等モチーフは多岐にわたり、室内の装飾品はもとよりパーティーや結婚披露宴の際に着装できる物にすれば極めて豪華で印象的な装身具になる。又、本考案に薄いヴェール状のものを覆掛すれば光ファイバーの光を柔らかく表現できる。
【００１２】  このように本考案は、従来のリチウム電球や蓄光物質を用いた物や夜光蝶等の羽根から採取した発光物質を用いた繊維で縫製した装飾品や衣料のように電源装置等が大型であったり、短時間で退光する物ではなく長時間に渡り繊細に点滅し発光色が変色ししかも電源等が極めて軽薄な物である。
【図面の簡単な説明】
【図１】構造の説明図
【図２】裏面の説明図
【図３】各部品の配列を示す説明図
【符号の説明】
１．花心
２．花弁
３．リチウム電池
４．基板
５．発光ダイオード
６．光ファイバー
７．スイッチ
【図１】
0003109324.tif 000003
【図２】
0003109324.tif 000004
【図３】
0003109324.tif 000005
【手続補正書】
【提出日】平成16年12月8日(2004.12.8)
【手続補正１】
【補正対象書類名】実用新案登録請求の範囲
【補正対象項目名】全文
【補正方法】変更
【補正の内容】
【実用新案登録請求の範囲】
【請求項１】
布やビニールを素材とした花の形状の花弁２の基部に発光ダイオード５を隠設し、花心１に光ファイバー６を植設又は縫着し、この花心１や花弁２の裏面に隠設したリチウム電池３を電源として、同じく隠設した基盤４を通じて発光ダイオード５が発光し、この発光ダイオード５の光を受けた光ファイバー６が作用して花心１や花弁２の基部が交互に又は同時に点滅する構造の、発光．点滅．変色する装飾品。
【請求項２】
風景．動物．鳥．魚等の形状を模した、請求工１の発光．点滅．変色する装飾品。
(57)【要約】      【課題】      十字のスリットが入っている浮いた底のある新聞雑誌収納箱に新聞、雑誌等を入れたままでする梱包をより容易にする。      【解決手段】  新聞雑誌収納箱の外周枠の外側に蝶つがいとロータリーキャッチを有し新聞、雑誌等の梱包時に外周枠を倒せるようにして、梱包作業を容易にした。      【選択図】    図1      
0003109396.tif 000002
【実用新案登録請求の範囲】
【請求項１】
十字のスリットが入っている浮いた底のある、新聞、雑誌等を整理収納する新聞雑誌収納箱において、外周枠の外側に蝶つがいとロータリーキャッチを有し、新聞、雑誌等の梱包時には外周枠を外側に倒すことをできるようにし、新聞、雑誌等の梱包を容易にした新聞雑誌収納箱。
【考案の詳細な説明】
【考案の開示】
【考案が解決しようとする課題】
【０００１】
従来の十字のスリットが入っている浮いた底のある新聞雑誌収納箱は、新聞、雑誌等の梱包の際に外周枠が邪魔になり梱包がしづらいという問題点を有していた。
【課題を解決するための手段】
【０００２】
本考案は、上記の問題を解決するために外周枠の四隅それぞれの外側に蝶つがいを有し、外周枠を外側に倒すことのできるようにした。また外周枠を倒さない時のために外周枠の四隅それぞれの外側にロータリーキャッチを有し外周枠を固定するようにした。
【考案の効果】
【０００３】
このようにすれば、梱包する際に外周枠を外側に倒すことができるようになり従来のものよりも、より容易に新聞、雑誌を梱包できるようにした。
【図面の簡単な説明】
【０００４】
【図１】新聞雑誌収納箱の斜視図である。
【図２】新聞雑誌収納箱の外周枠を外側に倒した図である。
【符号の説明】
【０００５】
1、新聞雑誌収納箱本体
2、蝶つがい
3、ロータリーキャッチ
【図１】
0003109396.tif 000003
【図２】
0003109396.tif 000004
(57)【要約】      （修正有）【課題】メガネフレームを装用者の頭部の寸法に合わせる為、違和感なく容易にテンプルの長さを調整することができる。【解決手段】合成樹脂を素材としたモダン本体１であり、棒状をなし、後端側には拡径部２が形成されており、前端の小口３側からは軸芯に沿って長孔４が形成されており、この長孔４内にテンプル５の後端寄りの部分が挿入される様になっている。このモダン本体１の外周には小口３側から所望間隔で複数の縮径部６が形成されている。この縮径部６は小口３側から１０ｍｍ間隔で３箇設けられている。【選択図】図１
0003109397.tif 000002
【実用新案登録請求の範囲】
【請求項１】
合成樹脂を素材とし、その外周に小口側から所望間隔で複数の縮径部が形成されていることを特徴とするメガネ用モダン。
【考案の詳細な説明】
【技術分野】
【０００１】
この考案はメガネ部品、詳しくはメガネを装用者の頭部に係止せしめる耳当てとも称される係止用部材に関するものである。
【背景技術】
【０００２】
メガネはノーズパッド（鼻当て）とモダン（耳当て）とによって装用者の頭部に確実に係止せしめる様になっており、モダンの多くは合成樹脂をその素材としている。このモダンは棒状をした部材であり、一方の小口部からその軸芯に沿って長孔が形成されており、この長孔にメガネフレームのテンプルの後端寄りの部分を挿入し、弓形に弯曲せしめて使用に供している。
【特許文献１】なし
【非特許文献１】なし
【考案の開示】
【考案が解決しようとする課題】
【０００３】
メガネフレームにおいては、装用者の頭部の寸法に合う様にする為、テンプルの長さを調整することが行われており、調整の為にテンプルの後端寄りの部分を適当な長さにわたって切断する場合がある。この様にした場合には、切断後にモダンを再度テンプルに挿入することになるが、通常の場合、テンプルは後端側に行くに従って細くなる緩いテーパ状に形成されているので、切断後にモダンをそのまま挿入したのでは、モダンの小口部の径がテンプルの大きさに合わなくなってしまい、アンバランスとなり、外観上違和感を惹起されることがあった。又、テンプルの全長とモダンの全長とが不釣り合いとなり、同様に外観上違和感を惹起させることもあった。一方、上記外観上の違和感を解消させようとしてモダンの小口側を切断してモダンを短くした場合には、切断面を曲面状に成形する仕上げ加工が別途必要となり、余分な手間がかかると言った問題もあった。又、従来においては、モダンの外周部には長さの目安となるものは特に設けられていなかったので、左右一対のモダンを正確に同じ長さになる様に切断するのには細心の注意が必要であった。
【０００４】
本考案者はメガネ用モダンに関する上記従来の問題点を解決すべく研究を行った結果、今回極めて実用的価値の高いメガネ用モダンを開発するに至り、本考案としてここに提案するものである。
【課題を解決するための手段】
【０００５】
合成樹脂を素材としてメガネ用モダンにおいて、外周に小口側から所望間隔で複数の縮径部を形成せしめることにより上記課題を解決した。
【実施例】
【０００６】
図１はこの考案に係るメガネ用モダンの一実施例の縦断面図であり、図中１は合成樹脂を素材としたモダン本体であり、棒状をなし、後端側には拡径部２が形成されており、前端の小口３側からは軸芯に沿って長孔４が形成されており、この長孔４内にテンプル５の後端寄りの部分が挿入される様になっている。なお、このモダン本体１をエラストマーによって構成しても良く、その場合には装着感が良好となる。そして、このモダン本体１の外周には小口３側から所望間隔で複数の縮径部６が形成されている。なお、この実施例においては、この縮径部６は小口３側から１０ｍｍ間隔で３箇設けられているが、この寸法に限らないことはもちろんである。又、この縮径部６の斜面は曲面状に形成されていることが好ましい。この実施例は上記の通りの構成を有するものであり、長孔４にテンプル５の後端寄りの部分を挿入し、弓形に弯曲せしめて使用に供するものである。この際、モダン本体１は縮径部６の位置で簡単に切断できるので、テンプル５の長さに応じてモダン本体１の長さを自由に変更することが出来る。従って、テンプル５との外観上のバランスを取ることが可能となり、メガネフレームを装用者の頭部の寸法にフィットさせつつ、外観上バランスの取れたメガネフレームとすることが出来る。又、切断は縮径部６の位置で行われるので、別途切断面を仕上げ加工する必要はなく、作業が極めて簡単である。更に、縮径部６が長さの目安となるので、切断作業の際の長さの確認が容易であり、熟練者でなくとも手軽に加工作業を実施することが出来る。又、テンプル５の長さは変更せずにモダンの長さだけを変えるといったデザイン上の変化も容易に実現出来、極めて高い実用的価値を有する。
【図面の簡単な説明】
【０００７】
【図１】この考案に係るメガネ用モダンの一実施例の縦断面図。
【符号の説明】
【０００８】
１    モダン本体
２    拡径部
３    小口
４    長孔
５    テンプル
６    縮径部
【図１】
0003109397.tif 000003
(57)【要約】      （修正有）【課題】散歩中犬がもよおした大便処理の時手に付着したり路面にしみこんで、つかみ取る事が出来ないことを解消する。【解決手段】犬の大便取り治具１、２、３、と収納袋４の合わせの設置に依り硬い大便Ｂ、柔かい大便Ｂ、液状ような大便Ｂを手でつかみ取るのではなく大便をする直前に犬Ａの肛門下にさっと差し出して収納袋４の中へキャッチする。【選択図】図１
0003109335.tif 000002
【実用新案登録請求の範囲】
【請求項１】
犬の大便を収納する袋とその収納袋を取り付けるための開閉式で二重構造になっている楕円形の輪ぱをステッキ形棒の下部分に取りつけてある犬の大便取り治具。
【考案の詳細な説明】
【技術分野】
【０００１】本考案は犬の大便処理に使用する治具
〔背景技術〕【０００２】従来は路面に落ちた犬の大便を紙などを使用して手でつかみ取っていた。
〔考案の開示〕
〔考案が解決しようとする課題〕【０００３】しかしこれでは便が手についたり特に柔らわかいのや物によっては液状に近い便などはつかみ取る事が出来ず路面にしみこみ衛生的にも環境的にも良くない。
〔課題を解決するための手段〕【０００４】そこで硬、柔、液状の大便でも楕円型の輪っぱの中にはさみ込んである袋の中に入れ処理ができる犬の大便取り治具を考案した。（図１）
この犬の大便取り治具により処理が簡単で楽になった。
〔考案の効果〕【０００５】よって本考案の犬の大便取り治具により手に便がつく事もなく又、路面に便がしみこむ事もなく衛生的、町の環境的にも良い。大便の入った袋は新しい袋と入れ替わる事が出来る。
〔考案を実施するための最良の形態〕【０００６】本考案に係わる犬の大便取り治具の２、３部分は図２が示すようにステッキ形棒１の下部にそれぞれの固定金具５、６、７によって取り付けてある。図２の開閉式固定金具５、に依り外側輪ぱ２は内側輪ぱ３、から離れて上に開く事ができる。そこで収納袋４のあけ口を内側輪ぱ３の周辺に取り付けておく、次に図２の外側輪ぱ２と合体させるその事に依って収納袋４は輪ぱ同志のすき間にはさみこまれてはずれる事なく犬Ａの大便Ｂがしっかりと収納袋４の中におさまる。
尚、図２、の外側輪ぱ２、の径はたて巾１６ｃｍ横巾最長のところで９ｃｍの楕円形、図２の外側輪ぱ２の先端から固定金具７、までの長さは２６ｃｍである。ステッキ棒１の長さは８０ｃｍが望ましい。
ステッキ形棒１と外側輪ぱ２、内側輪ぱ３、の素材は軽量なアルミ製で形成されることが望ましい。
【図面の簡単な説明】
【０００７】〔図１〕
本考案に係わる犬の大便取り治具を使用した状態の見取図である。
〔図２〕
収納袋を取り付ける前の犬の大便取り治具の見取り図である。
【符号の説明】
【０００８】１  ステッキ形棒
２  外側輪ぱ
３  内側輪ぱ
４  収納袋
５  開閉式固定金具
６  上下式固定金具
７  固定金具
Ａ  犬
Ｂ  犬の大便
【図１】
0003109335.tif 000003
【図２】
0003109335.tif 000004
(57)【要約】      （修正有）【課題】視力弱者の方や高齢者の方に表示文字の識別が容易で、又操作自体も簡単である。【解決手段】ＪＩＳ規格にのっとった大型操作ボタンを作成し、同ボタンの底部と、本体底部に固定した、従来の各社キ−ボ−ドの操作ボタンの上部をジョイント材により連結させたキ−ボ−ドをパソコンラック並びにパソコンデスクのディスプレイ設置部分の前面に固定し一体化させた。【選択図】図４
0003109336.tif 000002
【実用新案登録請求の範囲】
【請求項１】
入力ボタンの表示部分がＪＩＳ規格と同一の大型操作ボタンをジョイント材で、本体底部に固定した市販キ−ボ−ドの個々の操作ボタン上部に連結して操作するキ−ボ−ドを、パソコンラック並びにパソコンデスクのディスプレイ設置部分の前面に固定し一体化させた、大型キ−ボ−ド付きパソコン操作台。
【考案の詳細な説明】
【技術分野】
【０００１】  この考案は、入力ボタンの表示部分がＪＩＳ規格と同一の大型操作ボタンをジョイント材で、本体底部に固定した市販キ−ボ−ドの個々の操作ボタン上部に連結して操作するキ−ボ−ドを、パソコンラック並びにパソコンデスクのディスプレイ設置部分の前面に固定し一体化させた、大型キ−ボ−ド付きパソコン操作台。
【背景技術】
【０００２】  従来、入力ボタンの表示部分がＪＩＳ規格によるキ−ボ−ドの操作ボタンの大きさきは、指に触れる部分の大きさが１辺約１２ｍｍ程度であり、この大きさでは視力弱者の方や高齢者の方には表示文字の識別が容易でなく、又、操作性もあまり良いものとは言えなかった。【０００３】  又、入力ボタンの１辺の大きさが２５ｍｍ程度のものは一部、市場に出ているが、文字入力専用のもので、文字入力ボタンの表示形態が、ＪＩＳ規格のものとは全く異なる物であり、パソコンの操作マニュアル等に記載されたボタン操作説明に対応出来るものではなかった。
【考案の開示】
【考案が解決しようとする課題】
【０００４】  入力ボタンの指に触れる部分の大きさが１辺約１２ｍｍ程度では、視力弱者の方や高齢者の方には表示文字の識別が容易でなく、又操作自体に困難を伴う為、入力ボタンの大きさを大きくし、記載文字も相対的に大きな表示にすることが必要と思われた。【０００５】  又同時に、パソコンの操作マニュアル等に記載されたボタン操作説明に対応させる点において、入力ボタンの表示をＪＩＳ規格と同じ表示にすることも、必要と思われた。【０００６】  キ−ボ−ドが大型になる為、机上への設置は無理である為、設置方法の検討が必要と思われた。
【課題を解決するための手段】
【０００７】  １．  ＪＩＳ規格と同一の表示で、平面積ならびに文字の表示部分を大きくしたラミネ−ト文字盤（１）と円形プラスチック版（２）並びにボルト（３）を接着一体化して操作ボタン可動部を構成する。
２．  発泡体パッキング（６）の周囲をウレタンフォ−ムがはみ出さないように、ウレタンフォ−ム押さえ用の円筒（５）にて覆い、内部にウレタンフォ−ム（４）を固定して反発復元体を構成し本体上板（７）に固定する。
３．  本体上部に固定された反発復元体に操作ボタン可動部を差し込み六角ナット（８）にて一体化する。
４．  ボルト最下部の六画ナット（８）と本体底部に固定した市販キ−ボ−ドの個々の対応する操作ボタン（１１）上に接着した六角ナット（１０）を３ｍｍ径程度のジョイント材（９）により接着固定する。【０００８】  上記構造により、本体操作ボタンを押すと、操作ボタン可動部が下方向に動き相対的にジョイント材を通じた斜め下方向のモ−メントにより本体底部に固定した市販キ−ボ−ドの対応キ−を押し下げ、本体操作ボタンの加圧を解除すると、反発復元体の抵抗によりもとに復帰するといった行程をふまえるキ−ボ−ドをパソコンラック並びにパソコンデスクのディスプレイ設置部分（１３）の前面に固定し一体化させた、大型キ−ボ−ド付きパソコン操作台が本考案である。
【考案の効果】
【０００９】  本考案により、視力弱者の方や高齢者の方に今までより快適な入力操作を提供できる。
【考案を実施するための最良の形態】
【００１０】  文字の表示部分を大型化する際、なんべんにもわたる試行錯誤の結果、下記実施例記載の、父のような視力障害者が支障なく操作する為には、最低でも１辺の大きさが２５ｍｍ以上は必要との結論に至り、その結果より固定し一体化させるキ−ボ−ドの形態は、短辺は２５０ｍｍ、長辺は７００ｍｍ程度の箱形のものが最良と思われる。
又、高さは現在２００ｍｍであるが、今後の技術改良により薄型にしていく。
【実施例】
【００１１】  私の父７２歳は白内障・緑内障等の合併疾病の為、片眼は失明他眼は０．３あるかないかで、しかも視野が極端にせまい、身体障害者３級であり、市販されているキ−ボ−ドは、ほとんどその文字の認識が出来ないが、本キ−ボ−ドの試作品により何ら支障なく入力操作が出来るようになった。
【産業上の利用可能性】
【００１２】  視力弱者の方並びに高齢者の方のパソコン入力補助装置。
【図面の簡単な説明】
【００１３】
【図１】本案キ−ボ−ド部の斜視図。
【図２】本案のキ−ボ−ド部の断面図。
【図３】本案の操作ボタン部の部分詳細図。
【図４】本案（パソコンラック設置時）の側面図。
【図５】本案（同上）の正面図。
【図６】本案（同上）の平面図。
【図７】本案（パソコンデスク設置時）の側面図。
【図８】本案（同上）の正面図。
【図９】本案（同上）の平面図。
【符号の説明】
【００１４】  １．ラミネ−ト文字盤
２．円状プラスチック板
３．ボルト
４．ウレタンフォ−ム
５．ウレタンフォ−ム押さえ用円筒
６．発泡体パッキング
７．本体上板
８．ナット
９．ジョイント（ボタン連結材）
１０．ナット
１１．市販キ−ボ−ド入力ボタン
１２．パソコン本体設置部分
１３．ディスプレイ設置部分
１４．プリンタ−設置部分
１５．大型キ−ボ−ド設置部分
１６．下段棚部分
１７．下部キャスタ−部分
【図１】
0003109336.tif 000003
【図２】
0003109336.tif 000004
【図３】
0003109336.tif 000005
【図４】
0003109336.tif 000006
【図５】
0003109336.tif 000007
【図６】
0003109336.tif 000008
【図７】
0003109336.tif 000009
【図８】
0003109336.tif 000010
【図９】
0003109336.tif 000011
(57)【要約】      （修正有）【課題】奥歯でも簡単に掃除することが可能であり、又、薄い板状にして先端部を更に鋭利にすることで、円錐ではなく四角錐になり先端部分が細く長くても十分な強度を持たせる事も可能にした爪楊枝を提供する。【解決手段】薄い板状の爪楊枝で全体的に湾曲させ更に、先端部分を鋭利にした。【選択図】図２
0003109340.tif 000002
【実用新案登録請求の範囲】
【請求項１】
全体が湾曲した薄い板状爪楊枝
【考案の詳細な説明】
【技術分野】
【０００１】  Ａ６１Ｃ  １５／０２
【背景技術】
【０００２】  従来の爪楊枝には  全体的に湾曲した薄い板状の爪楊枝が無かった。
【考案の開示】
【考案が解決しようとする課題】
【０００３】  従来の爪楊枝では、奥歯を掃除しようとしても真直ぐな楊枝では無理があり且つ、先端の細い部分の長さは、歯と歯の間を掃除するには不十分な長さであった又、先端部は丸く細い為、爪楊枝としての強度が弱かった。
【課題を解決するための手段】
【０００４】  課題を解決するため、薄い板状の爪楊枝で全体的に湾曲させ更に、先端部分を鋭利にする事で、課題を解決した。
【考案の効果】
【０００５】  本発明の効果で、奥歯でも簡単に掃除する事が可能である。又、薄い板状にして先端部を更に鋭利にすることで、円錐ではなく四角錐になり先端部分が細く長くても十分な強度を持たせる事も可能にした。
【考案を実施するための最良の形態】
【０００６】  爪楊枝の長さは、通常の長さ６ｃｍから７ｃｍ位が良く、素材は木、若しくは竹が妥当であるがプラスチック等の加工品又、芋、トウモロコシ等の繊維、でんぷん等の加工品、生分解性プラスチックでも良い又、この爪楊枝の両端を鋭利に薄くし両端を楊枝として使用することも可能である。又、爪楊枝を指で持つ部分の巾や太さを大きくしても持ちやすくなり大変便利である。
【実施例】
【０００７】  竹を材料とした場合、直形５センチ程の太さの竹を長さ７ｃｍに切り更に縦に輪切りにし竹の耳となる肉部分を使用し、縦に切る、出だしは薄く鋭くし中間を少し厚く終点を又薄く鋭く切りだした楊枝を熱湯、スチーム等で消毒した後、乾燥させる事で、楊枝全体が自然な湾曲を描いた。又、楊枝の薄さや切り方、長さ、消毒、乾燥の工程で、湾曲の角度が変わる為、様々な角度に湾曲した作品が提供できる。
【産業上の利用可能性】
【０００８】  今までの楊枝は先端が丸く細い為、爪楊枝として強度が弱いが本考案品は、薄い板状で湾曲している為、便利で強度もある為、産業上の利用可能性は大きいと思われる。又、芋、トウモロコシ等の繊維、でんぷん等の加工品、生分解性プラスチック等を利用すると資源の有効活用等に繋がり大変有効である。
【図面の簡単な説明】
【０００９】  図１  平面図である。
図２  斜面図である。
【符号の説明】
【００１０】１  本考案の爪楊枝である。
【図１】
0003109340.tif 000003
【図２】
0003109340.tif 000004
(57)【要約】      （修正有）【課題】調理の作業能率を高め、ポケットとしての役目をも果たすエプロンを提供する。【解決手段】装着しているエプロンに鍋つかみを、直接設置させることにより、使用の際、瞬時に利用が可能になり、時間のロスを少なくしている。台所の壁やシンク下の扉等のフックからはずす手間が省け、機能的で、調理がしやすく、作業能率を高めるのに役立つ。また鍋つかみが楕円形をしているので、同時にポケットの機能をも備えている。【選択図】図１
0003109334.tif 000002
【実用新案登録請求の範囲】
【請求項１】
エプロンの左右のポケット部位上部にデザインボタンを取り付け、該デザインボタンに、楕円形鍋つかみを係脱自在としたところを特徴とするポケット兼鍋つかみ付きエプロン
【考案の詳細な説明】
【技術分野】
【０００１】本考案は、エプロンの左右ポケット部位上部にデザインボタンを取り付け、該デザインボタンに楕円形鍋つかみを係脱自在としたエプロンに関するものである。
【背景技術】
【０００２】調理する際、エプロンはエプロンだけとして装着し、熱い鍋を持つ時など、鍋つかみが必要の際、シンク下の扉や壁等のフックからはずし、鍋つかみを使用していた。
【考案の開示】
【考案が解決しようとする課題】
【０００３】エプロンと鍋つかみの別付設は、作業能率も悪く、また時間的ロスがある。従って、エプロンに、直接鍋つかみを係脱自在とすることにより、瞬時に使用が可能になり、前述の欠点を解決しようとするものである。
【課題を解決するための手段】
【０００４】本考案は、エプロンの左右のポケット部位上部にデザインボタンを取り付け、該デザインボタンに鍋つかみを係脱自在とすることにより、使用を瞬時に可能にし、機能的で無駄な導線を省き、調理の作業能率を高めている。よって、問題点を解決している。
【考案の効果】
【０００５】上述のように、本考案は、エプロンの左右のポケット部位上部のデザインボタンに、直接鍋つかみを係脱自在としているので、使用の際、瞬時に利用が可能で、調理しやすく、機能的であり利便性が高い。また、無駄な導線がなく、調理の作業能率を高めるのに役立つ
【図面の簡単な説明】
【００１０】
【図１】    正面図
【図２】    側面図
【図１】
0003109334.tif 000003
【図２】
0003109334.tif 000004
【手続補正書】
【提出日】平成16年12月27日(2004.12.27)
【手続補正１】
【補正対象書類名】明細書
【補正対象項目名】全文
【補正方法】変更
【補正の内容】
【考案の詳細な説明】
【技術分野】
【０００１】  本考案は、エプロンの左右ポケット部位上部にデザインボタンを取り付け、当該デザインボタンに楕円形鍋つかみを係脱自在としたエプロンに関するものである。
【背景技術】
【０００２】  調理する際、エプロンはエプロンだけとして装着し、熱い鍋を持つ時など、鍋つかみが必要の際、シンク下の扉や壁等のフックからはずし、鍋つかみを使用していた。
【考案の開示】
【考案が解決しようとする課題】
【０００３】  エプロンと鍋つかみの別配置は、作業能率も悪く、また時間的ロスがある。従って、エプロンと鍋つかみの機能を一体化することにより、瞬時に使用が可能になり、前述の欠点を解決しようとするものである。
【課題を解決するための手段】
【０００４】  本考案は、エプロンの左右のポケット部位上部に、デザインボタンを取り付け、当該デザインボタンに鍋つかみを係脱自在とすることにより、使用を瞬時に可能にし、機能的で無駄な導線を省き、調理の作業能率を高めている。よって、問題点を解決している。
【考案の効果】
【０００５】  上述のように、本考案は、エプロンの左右のポケット部位上部のデザインボタンに、直接鍋つかみを係脱自在としているので、鍋つかみを使用の際、瞬時に利用が可能で、調理しやすく機能的であり、鍋つかみとポッケトの機能が一体化していて、利便性がある。また、無駄な導線がなく、調理の作業能率を高めるのに役立つ。
【図面の簡単な説明】
【０００６】
【図１】エプロン本体の正面図
【図２】エプロン本体の側面図
【符号の説明】
【０００７】１  エプロン本体
２  ループ式首掛け紐
３  デザインボタン
４  ポケット式鍋つかみ
５  ポケット式鍋つかみの覆部布地
【手続補正２】
【補正対象書類名】図面
【補正対象項目名】全図
【補正方法】変更
【補正の内容】
【図１】
0003109334.tif 000005
【図２】
0003109334.tif 000006
(57)【要約】      （修正有）【課題】かさばらず持ち運ぶことが出来、使用時に簡単に組立ることのできる使い捨て容器を提供する。【解決手段】ビニール素材で出来た底面と、側面を、立体になるように各々貼付する。これを、平たく折り畳み、使用時に立体に広げて起立させる。使用後は、出入口に付けられた紐を絞ることにより、廃棄も持ち運びも簡単である。【選択図】図１
0003109338.tif 000002
【実用新案登録請求の範囲】
【請求項１】
出入口に紐通しがあり、ビニール素材で作られ、平たく畳まれ、使用時に簡単に組み立てることが出来ることを特徴とする使い捨て容器。
【考案の詳細な説明】
【技術分野】
【０００１】  本考案は、折り畳んであって簡単に組み立てられ、使用後捨てることも持ち運ぶことも可能な容器である。
【背景技術】
【０００２】  従来、人の集いの場に於いて、菓子袋など取り回しをしたり、別の容器を使用したりしていた。
また、家庭・外食のいずれに於いても、貝殻や豆の皮などの廃棄物を処理する為には、別途の容器を用意することが普通であった。
【考案の開示】
【考案が解決しようとする課題】
【０００３】  人の集まる場で、菓子袋の取り回しをするのは場の雰囲気を損なう。又、食事の場で貝殻や豆の皮などの廃棄物を処理する為の皿を用意すると、後片付けに手間がかかる。又、外食に於いては、後片付けに際し、人件費・水道代などのコストがかかる。代用品として、紙皿などが考えられるが、１こ当たりの単価が高く、処分に手間がかかる。従って、ビニール素材で作った使い捨て容器を使用することにより、前述の欠点を解決しようとするものである。
【課題を解決するための手段】
【０００４】  本考案は、ビニール素材で立体を作り、折り畳み、ティシュの様に箱又はビニール袋等に収納し、次々と取り出し可能にするものである。
【考案の効果】
【０００５】  上述の様に、本考案は、皿としての機能は勿論、水分を含んだ廃棄物を処理する機能も併せ持ち、多目的に使用できる容器であり、軽量・安価であるため、あらゆる場所で役立つ。
【考案の実施するための最良の形態】
【０００６】  折り畳んだ容器を立体に広げて起立させる。
【実施例】
【０００７】  あらゆる立体が可能であるが、ここでは底面が六角形の立体を例に説明する。
底面は六角形。側面は、長方形の向かい合う２辺が弧を描いた形が６枚。底面と側面６枚が、６角柱になるように、各々貼付されている。【０００８】  容器の口の部分に紐通しが付けられ、使用後、その紐を絞って廃棄することが出来る。又、残留品を持ち帰る事も出来る。
【図面の簡単な説明】
【０００９】
【図１】本考案の立体に広げて起立させた時の正面図である。
【図２】本考案が畳まれた状態である。ティッシュケース等に、このような状態で詰めておく。
【図３】本考案の図２を開いた図である。
【図４】本考案の図３の中心部にある三角形６個を容器を開くため、引き上げた時の図である。
【図５】本考案の口の部分の紐通しを図にしたものである。
【符号の説明】
【００１０】  １  紐通し口で、Ａ紐の一端が、紐通しの中をぐるりと回って出た他方の端と結ばれている。
２  紐通し口で、Ｂ紐の一端が、紐通しの中をぐるりと回ってでた他方の端と結ばれている。
３  折り曲げた紐通しの中を、紐が通っているところ。
４  折り畳んだ時の重なった容器の一番上の部分。
【図１】
0003109338.tif 000003
【図２】
0003109338.tif 000004
【図３】
0003109338.tif 000005
【図４】
0003109338.tif 000006
【図５】
0003109338.tif 000007
(57)【要約】      （修正有）【課題】電動工具を腰部に携帯したときも電気コードが２０〜３０ｃｍ（折り返されることによって実際はその半分の長さになる）ほどに収まり、電気コードが作業上、支障になることはない電池分離型手持ち電動工具を提供する。【解決手段】電池分離型手持ち電動工具は、電源部分を本体から分離独立させ、双方を伸縮性のある電気コードによって繋ぎ、使用することで本体の軽量・小型化を可能にし、作業負担の軽減を図ると共に、ホルダーなどにより、双方を身体腰部に一時収納固定できるようにすることで、作業者の安全が確保されることを目指したものである。【選択図】図１
0003109342.tif 000002
【実用新案登録請求の範囲】
【請求項１】
電池を使用した電源部と、駆動部である電動工具本体がそれぞれ独立しており、かつ双方を最大伸長１ｍ程度の伸縮性のある電気コードによって、直接あるいはコネクターなどを介して繋ぎ、使用することができるようにした手持ち式電動工具。
【考案の詳細な説明】
【技術分野】
【０００１】  本考案は、電源に電池を使用した電動工具の、電池と駆動部分を分離独立させ、伸縮性のある電気コードを用いて双方を繋いで使用する電池分離型手持ち電動工具に関するものである。
【背景技術】
【０００２】  現在、一般に普及している「コードレス電動ドリル」または「充電式電動ドリル」と呼称されている電動工具は、電源として電池を使用し、電源と駆動部分を一体化した形態が採用されている。電気コードによる使い辛さと、使用場所を電源に左右されることを解消するためである。
【考案の開示】
【考案が解決しようとする課題】
【０００３】  しかし、それら電動工具は以下の欠点を持つ。まず、電源である電池部分の占める容積・重量の割合が大きく、ホルダーなどを使って工具を腰に携帯しづらい。だから使用しない時には足元などに置くことになる。しかし足場の悪い所では、置き場所がなく、工具をいつも手に持っておかなければならない。そのため工具を使用しない時も片手が塞がっており、作業中、作業者に危険が及んだり、作業上の負担が増大したりすることも多い。【０００４】  また、より強力化・高性能化が進むにつれて、電源電池の容積・重量が増し、片手で手軽に取り回すことが特に非力な人にとっては難しくなってきている。【０００５】  さらに、片手で持って使用する形態のため、電池の重量に限界があり、より強力化、高性能化が図りにくい。【０００６】  電池を腰に携行する考案なども開示されてはいるが、工具を繋ぐ電気コードや電動工具の形状などに言及したものはなく、使用に際して電気コードなどが依然じゃまになるなど、使用に難があり、現在製品化されるに至っていない。
【課題を解決するための手段】
【０００７】  本考案は、それらの欠点を克服するため、分離独立させた電源電池部分と工具本体を別々のホルダーなどで身体腰部に固定・携帯できるようにし、両者を最大伸長１ｍ程度の伸縮性のあるバネ状の電気コード（いわゆる「カールコード」と呼称される電気コード）で、直接あるいはコネクターなどを介して接続し、使用できるようにするものである。
【考案の効果】
【０００８】  接続にバネ状の伸縮性のある電気コードを用いることで、電動工具を腰部に携帯したときも電気コードが２０〜３０ｃｍ（折り返されることによって実際はその半分の長さになる）ほどに収まり、電気コードが作業上、支障になることはない。【０００９】  さらに、分離された工具本体は、電池部分が除かれるため、電池の形状に左右されることなく、身体腰部に収納・携帯できるよう形状をさまざまに工夫改善することができる。したがって使用しない時、電池と同様、ホルダーなどを使って、腰部に一時収納・固定することが可能になり、作業者の安全がより確保される。【００１０】  また、電池と駆動部が分離されることにより、従来の電池一体型手持ち電動工具に比べ、工具本体がより小型軽量化でき、取り回しが甚だ楽にかつ安全にできる。【００１１】  また、電池収納容器の形態を工夫することで、予備電池も同時に携行できるようにできるため、電池切れによって作業を中断せずに済み、作業能率の向上を図ることもできる。【００１２】  手に持たずに済むようになった電池は、より大型化することができ、電池の更なる高性能化を図ることができる。
【課題を実施するための最良の形態】
【００１３】  電池及び電池収納容器は、図１の１及び図１の２に示すように身体腰部に固定しても作業のじゃまにならないような、出来るだけ厚みの薄い直方体を基本としたもの。腰部に沿って湾曲していれば更によい。
【００１４】  電動工具は、図１の４に示すように握りやすく、かつ身体腰部に収納固定しても作業のじゃまにならず、安定して収納しておけるような円筒形を基本とした形態のもの。
【００１５】  電気コードは、図１の３に示すように身体腰部から伸ばした腕の先端までの長さ、すなわち最大伸長１ｍ程度で、縮むと２０〜３０ｃｍ程度に収まるバネ状に巻かれた伸縮性のあるもの。
【図面の簡単な説明】
【００１６】
【図１】  電池分離型手持ち電動工具を概観した図である。
【図２】  電池分離型手持ち電動工具にホルダーを組み合わせた一形態を示した参考実例図である。
【符号の説明】
１  電池の１事例図。
２  電池収納容器の１事例図。
３  最大伸長１ｍ程度のバネ状の伸縮性のある電気コード。
４  電動工具の１事例図。
５  電池収納容器を身体腰部に固定するためのホルダー。この図の場合は、電池収納容器と一体となっており、また、中にベルトなどを通すような形態にしている。
６  電動工具を身体腰部に収納固定するための収納具。電動工具の形状に沿った形態。
７  収納具を身体腰部に固定するためのホルダー部分。この図の場合は、中にベルトなどを通すようにしている。
【図１】
0003109342.tif 000003
【図２】
0003109342.tif 000004
(57)【要約】      （修正有）【課題】車輛が走行するときに舖装道路に施工された溝から得る振動音が音楽の要素を持った規則性のある振動音とする為の道路舖装溝切削用多盤式切削ドラムを提供する。【解決手段】道路舖装溝切削用多盤式切削ドラムの切削刃と切削刃との間隔を道路の指定速度毎に各々音楽の各音階を成すように設定する。【選択図】図２
0003109345.tif 000002
【実用新案登録請求の範囲】
【請求項１】
車輛が舖装道路を走行する時に、タイヤと路面に切削された溝との接触により発生する振動音が、音楽の音階としての特性を持ち、運転者及び同乗者にメロディーとして感じられるように舖装道路の路面に横断方向に振動を発生させる為の溝を切削施工する場合に使用する、切削刃と切削刃との間隔が固定または可動式により道路の指定速度毎に個々に音階としての要素を持った舗装道路溝切削用多盤式切削ドラム。
【請求項２】
車輛が舖装道路を走行する時に、タイヤと路面に切削されたの溝との接触により発生する振動音に、音の強弱の変化を持たせる為に、切削する溝の幅を変る為に切削刃の厚さを変えた請求項１の道路舗装溝切削用多盤式切削ドラム。
【考案の詳細な説明】
【考案の詳細な説明】
【考案が解決使用とする課題】
【０００１】    従来、舗装道路に於いて連続的に施工されている溝の施工状況は溝と溝との間隔が１施工区間に於いては均等のものであり、走行車輛の運転者や同乗者に取ってはそれらから受ける感触は何ら興味の沸くものでは無かった。
そして、溝の間隔を決定する目的が、路面とタイヤとの摩擦係数を増加させる為や、居眠り防止用の騒音の発生、路線区画を振動音で周知させるもの、前方の交差点などの危険を予告させるもの、路面の排水を促す目的であった為に溝の間隔を決める要素は音楽以外のものであった。
【課題を解決する為の手段】
【０００２】    上記課題を解決する為に、道路舖装溝切削用多盤式切削ドラムの切削刃と切削刃との間隔を道路の指定速度毎に各々音楽の各音階を成すように表１に基づいて設定する。
【０００３】
【表１】
0003109345.tif 000003
【考案の効果】
【０００４】    道路の指定速度毎に各音階の間隔を持つ道路舗装溝切削用多盤式切削ドラムを、選択されたメロディーの音階の順番と音符の長さに合せて交換しながら施工することにより、一度に複数本の音楽の要素を持った溝を効率良く施工することができる。
【０００５】  振動音を発生させる為の音楽の要素を持つ溝の間隔が一定でより正確にメロディーを発生する舗装道路の溝の切削施工が可能である。
【図面の簡単な説明】
【図１】道路舗装溝切削用多盤式切削ドラムの斜視図である
【図２】道路舗装溝切削用多盤式切削ドラムの正面図である
【図３】道路舗装溝切削用多盤式切削ドラムの側面図である
【図４】道路舗装溝切削用多盤式切削ドラムの刃先の詳細図である
【符合の説明】
Ｗ        音楽の音階の特性を持つ為の切削刃と切削刃の間隔
ｗ        切削刃の幅
Ｂ        切削刃先
Ｃ        切削盤
Ｄ        道路舖装溝切削用多盤式切削ドラム
Ｓ        道路舖装溝切削用多盤式切削ドラム回転軸
【図１】
0003109345.tif 000004
【図２】
0003109345.tif 000005
【図３】
0003109345.tif 000006
【図４】
0003109345.tif 000007
(57)【要約】      （修正有）【課題】足指防臭殺菌芳香ユニットに関し、特に足指に装着した状態でも履物をはいて通常の生活運動ができ、装着もしやすく、足指の防臭、殺菌、芳香効果を付与できる足指防臭殺菌芳香ユニットを提供する。【解決手段】逆Ｕ字状弾性部材の両先端部に収納部を一体的に形成し、該収納部内に粒状薬剤を収納し、該収納部を下方に向けて逆Ｕ字状弾性部材を足指に装着可能に構成したことを特徴とし、収納部には、防臭剤、殺菌剤、芳香剤等の粒状薬剤が収納できるように収納部が形成され、該収納部は装着時に於いて足指間に位置するので、歩行の障害にならないように構成されていること特徴とする。【選択図】図１
0003109350.tif 000002
【実用新案登録請求の範囲】
【請求項１】
逆Ｕ字状弾性部材の両先端部に収納部を形成し、該収納部内に粒状薬剤を収納し、該収納部を下方に向けて逆Ｕ字状弾性部材を足指に装着可能に構成したことを特徴とする足指防臭殺菌芳香ユニット。
【請求項２】
収納部には、防臭剤、殺菌剤、芳香剤等の粒状薬剤が収納できるように収納部が形成され、該収納部は装着時に於いて足指間に位置し、歩行の障害にならないように構成されていること特徴とする請求項１記載の足指防臭殺菌芳香ユニット。
【請求項３】
プラスチックで一体的に形成された収納部にはヒンジ部を介して開閉自在のキャップが形成されており、該キャップの開閉により粒状薬剤を使用期限に基づいて交換可能に構成されていること特徴とする請求項１記載の足指防臭殺菌芳香ユニット。
【考案の詳細な説明】
【技術分野】
【０００１】  本考案は、足指防臭殺菌芳香ユニットに関し、特に足指に装着した状態でも履物をはいて通常の生活運動ができ、装着もしやすく、足指の防臭、殺菌、芳香効果を付与でき、粒状薬剤の交換を可能とし、前記効果を継続的に維持できる足指防臭殺菌芳香ユニットを提供するものである。
【背景技術】
【０００２】  従来、足指の吸湿剤、芳香剤、水虫治療剤等を吸収させた足指用清涼具等が考案されており、それらはシート状素材やリング状素材に薬剤を吸収させて使用するものであった。【０００３】  このような従来の足指用清涼具等では、足指のサイズにあわせた種々のサイズを用意する必要があり、また、薬剤の交換はできず複数の薬剤を同時に使用するには無理があるものであった。例えば、下記の特許文献１，２参照を参照することができる。【０００４】
【特許文献１】  特開平１１−３１８９７２号公報
【特許文献２】  特開２００４−９７７５９号公報
【考案の開示】
【考案が解決しようとする課題】
【０００５】  上述した特許文献１の足指用清涼具では、不織布等のシートに足指全体を挿入するためのスリットを形成し、これに薬剤を含浸させているが、含浸した薬剤が滲出する懸念があった。【０００６】  また、上述した特許文献２の特開２００４−９７７５９号公報では、リングを装着する構造のものが開示されているが、例え、大小のリングを用意してもその装着は非常にやっかいなものであった。【０００７】  本考案はこのような事情に鑑みてなされたものであり、特に足指に装着した状態でも履物をはいて通常の生活運動ができ、装着もしやすく、足指の防臭、殺菌、芳香効果を付与でき、粒状薬剤の交換を可能とし、前記効果を継続的に維持できる足指防臭殺菌芳香ユニットを提供するものである。
【課題を解決するための手段】
【０００８】  本考案の足指防臭殺菌芳香ユニットは、逆Ｕ字状弾性部材の両先端部に収納部を一体的に形成し、該収納部内に粒状薬剤を収納し、該収納部を下方に向けて逆Ｕ字状弾性部材を足指に装着可能に構成したことを特徴とし、収納部には、防臭剤、殺菌剤、芳香剤等の粒状薬剤が収納できるように収納部が形成され、該収納部は装着時に於いて足指間に位置するので、歩行の障害にならないように構成されていること特徴とし、且つ、弾力性のあるプラスチックで一体的に形成された収納部にはヒンジ部を介して開閉自在のキャップが形成されており、該キャップの開閉により粒状薬剤を使用期限に基づいて交換可能に構成されていること特徴とする足指防臭殺菌芳香ユニットを提供するものである。
【考案の効果】
【０００９】  本考案に係る足指防臭殺菌芳香ユニットは、逆Ｕ字状弾性部材で形成されているので、従来のようにリングではないので、そのまま足指にあてて押圧すれば容易に装着することができ、従来のリング形に比べて極めて装着しやすく、また、収納部内の粒状薬剤によって、容易に足指及び近傍の防臭、殺菌、芳香効果が得られるものである。
また、収納部内の粒状薬剤を取り替えて、継続的に効果を維持することができる。
【考案を実施するための最良の形態】
【００１０】  以下、図面に基づいて本考案の構成を具体的に説明する。
図面において、図１】本考案に係る足指防臭殺菌芳香ユニットの斜視図である。図２は本考案に係る足指防臭殺菌芳香ユニットの断面図である。図３は図２の部分拡大断面図である。図４は使用例を示す説明図である。図５は使用例を示す説明図である。【００１１】    本考案の足指防臭殺菌芳香ユニット１は、図１乃至図２に示すように、逆Ｕ字状弾性部材１１の両先端部に収納部２，２を一体的に形成し、該収納部２，２内に粒状薬剤３を収納することができ、図４乃至図５に示すように、該収納部２，２を下方に向けて逆Ｕ字状弾性部材１１を足指に押圧するだけで、容易に装着可能に構成されている。また、収納部２，２には、防臭剤、殺菌剤、芳香剤等の粒状薬剤３が収納できるように収納部が形成されており、該収納部２，２は図４乃至図５に示すように装着時に於いて足指４間に位置するので、歩行の障害にならないように構成されている。【００１２】  また、弾力性のあるプラスチックで一体的に形成された収納部２，２にはヒンジ部２２を介して開閉自在のキャップ２１，２１が形成されており、図２中点線で示すように、該キャップ２１，２１の開閉により粒状薬剤３を使用期限に基づいて交換することができるように構成されている。キャップ２１，２１を閉じるときは、図３に示すように、突起する係止部１２にキャップ先端部を嵌着すれば容易にキャップ２１，２１を閉じて収納部２に粒状薬剤３を収納することができる。
【図面の簡単な説明】
【００１３】
【図１】本考案に係る足指防臭殺菌芳香ユニットの斜視図である。
【図２】本考案に係る足指防臭殺菌芳香ユニットの断面図である。
【図３】図２の部分拡大断面図である。
【図４】使用例を示す説明図である。
【図５】使用例を示す説明図である。
【符号の説明】
【００１４】  １・・・・・足指防臭殺菌芳香ユニット
１１・・・・・逆Ｕ字状弾性部材
１２・・・・・係止部
２・・・・・収納部
２１・・・・・キャップ
２２・・・・・ヒンジ部
３・・・・・粒状薬剤
４・・・・・足指
【図１】
0003109350.tif 000003
【図２】
0003109350.tif 000004
【図３】
0003109350.tif 000005
【図４】
0003109350.tif 000006
【図５】
0003109350.tif 000007
(57)【要約】      （修正有）【課題】ポケットに携帯便利でハンディな耳あか吸引用道具の提供【解決手段】吸引方向とピストン２作動方向が垂直に交じり合い、ピストンロッド３に押しバネを装着して、ロッド３を押し込んだ状態で吸引管先端部５を耳内部の耳あか付着箇所に当ててロッド３を戻すことで、その時発生する吸引力により耳あかをシリンダ１方向へと吸引する。また吸引管をベース部４と先端部５に分離可能にし吸引管全体もシリンダ１から分離可能にしておくと、水洗いの際に便利である。【選択図】図１
0003109341.tif 000002
【実用新案登録請求の範囲】
【請求項１】
プラスチック製のシリンダ、ピストン、吸引管から形成される手のひらサイズのポンプであり、吸引方向とピストン作動方向が垂直に交じり合い、ピストンロッドに押しバネが装着してあり、ロッドを押し込んだ状態で吸引管先端部を耳内部の耳あか付着箇所に当ててロッドを戻すことで、その時発生する吸引力により耳あかをシリンダ方向へと吸引する耳あか吸引用手動式ポケット携帯ポンプ。
【考案の詳細な説明】
【考案の詳細な説明】
【技術分野】
【０００１】耳あかを吸引するための道具に関するものである。
【背景技術】
【０００２】耳あかを吸引する道具は既に市販されているが、ポケットに携帯便利でハンディなものは提供されていない。
【考案が解決しようとする課題】
【０００３】そこで本考案によりポケットに携帯便利でハンディな耳あか吸引用道具を提供せんとするものである。
【課題を解決するための手段】
【０００４】その課題の解決は、手のひらサイズのポンプを図１に示すような、耳あか吸引に適した形状と構造にすることで可能となる。
【考案を実施するための最良の形態】
【０００５】具体的実施形態は、図１に示されている構造と形状で実現された手のひらサイズの吸引ポンプとなり、吸引方向とピストン（２）作動方向が垂直に交じり合い、ピストンロッド（３）に押しバネを装着して、ロッド（３）を押し込んだ状態で吸引管先端部（５）を耳内部の耳あか付着箇所に当ててロッド（３）を戻すことで、その時発生する吸引力により耳あかをシリンダ（１）方向へと吸引する。また吸引管をベース部（４）と先端部（５）に分離可能にし吸引管全体もシリンダ（１）から分離可能にしておくと、水洗いの際に便利である。
【考案の効果】
【０００６】ピストン作動方向と耳あか吸引方向を図１のような位置関係にすることで、ピストンロッドを親指で押し込んだまま吸引管を中指と薬指の間にはさんで操作し、耳内部の耳あかがあると思われる箇所に管の先を当ててピストンロッドを戻すことで耳あかを吸引できるため、片手での操作が可能でハンディである。
吸引管先端部、吸引管ベース部、ピストンは簡単にシリンダ本体から分離できるようにしておくと、簡単に清掃可能である。
吸引管先端部の先もプラスチック製であるため、ある程度の硬度があり、皮膚に固着した耳あかも、管を操作しながら皮膚から分離し、同時に吸引できる。
【図面の簡単な説明】
【図１】本考案の形状および構造を示す組図である。
【図１】
0003109341.tif 000003